(57)【要約】【課題】ペン先の描線部分が見え易く、且つ、優れた意匠を有するボールペンチップ及びボールペンの提供。【解決手段】ボールペンチップ10におけるホルダー部11の先端部分に、当該ホルダー部11の最大外径部14から先端に向って、カシメ部13近傍まで外径が漸減する縮径部15を設け、且つ、縮径部15の側面を凹曲面としたので、カシメ部13近傍では、外径が充分に小さなものになり、ペン先の描線部分を見易くすることができる。しかも、側面が凹曲面となった縮径部15によって、ホルダー部11の最大外径部14からカシメ部13近傍まで連続的な曲面が形成されるので、洗練された印象の外観を形成することができ、ボールペンチップ10の意匠を優れたものにすることができ、ひいては、ボールペン１の意匠をも優れたものにすることができる。【選択図】    図６
2015013426.tif 000002
【特許請求の範囲】
【請求項１】
後端から先端まで連通するインク誘導孔が内部に形成された筒状のホルダー部と、
このホルダー部の先端内部に回転可能に設けられた筆記ボールと、
前記ホルダー部の先端開口の周囲部分を内方に向かって折り曲げることで形成され、前記筆記ボールを前記ホルダー部から抜け出ないように保持するカシメ部と、
を備えたボールペンチップであって、
前記ホルダー部の先端部分には、当該ホルダー部の最大外径部分から先端に向って前記カシメ部の近傍まで外径が漸減する縮径部が設けられ、
この縮径部は、側面が凹曲面となっていることを特徴とするボールペンチップ。
【請求項２】
請求項１記載のボールペンチップを備えていることを特徴とするボールペン。
【発明の詳細な説明】
【技術分野】
【０００１】
本発明は、後端から先端まで連通するインク誘導孔が内部に形成された筒状のホルダー部と、このホルダー部の先端内部に回転可能に保持されている筆記ボールとを備えたボールペンチップ及びこのボールペンチップを利用したボールペンに関する。
【背景技術】
【０００２】
従来から、筆記具としてのボールペンが利用されている。
ボールペンは、先端部分に配置されたボールペンチップと、この先端に回転可能に埋め込まれた筆記ボールとを有している。ボールペンチップ先端の筆記ボールが筆記される面で回転することにより、筆記ボールの裏側のインクがペン先表面に送られて、線を描くものとなっている。
【０００３】
このようなボールペンに設けられているボールペンチップには、前述の筆記ボールに加えて、後端から先端まで連通するインク誘導孔が内部に形成された筒状のホルダー部が設けられている。
そして、このホルダー部の先端には、当該先端における開口の周囲部分を内方に向かって折り曲げることで形成されたカシメ部が設けられている。このカシメ部によって、ホルダー部の先端内部に回転可能に設けられた筆記ボールがホルダー部から抜け出ないように保持されている。
【０００４】
ここで、ボールペンチップとしては、その意匠を優れたものにするために、ホルダー部の最大外径部分から先端のカシメ部近傍の部分までが円錐状のテーパー部となっているものが知られている（例えば、特許文献１参照）。
このようなボールペンチップを備えたボールペンでは、ペン先が円錐状のテーパー部の陰となるので、ペン先の描線部分が見えにくい場合がある。
そこで、円錐状に形成されたテーパー部の代わりに、ホルダー部の最大外径部分の端部に軸方向と直行する端面を形成し、且つ、この端面から先端へ向かって突出する細長い円筒状のパイプ部を設け、このパイプ部の先端に筆記ボールを回転可能に収納し、これにより、ペン先の描線部分を見易くしたものが知られている（例えば、特許文献１参照）。
【先行技術文献】
【特許文献】
【０００５】
【特許文献１】特開２００２−３２６４８７号公報
【発明の概要】
【発明が解決しようとする課題】
【０００６】
前述のようなボールパンチップでは、円筒状のパイプ部を設けると、ペン先の描線部分を見易くすることができるが、平面状の端面から突出するパイプ部が無骨な印象の外観を形成するので、意匠を優れたものにすることができない。一方、円錐状のテーパー部を設けると、意匠を優れたものにすることができるが、ペン先の描線部分を見易くすることができないので、ペン先の描線部分が見え易く、且つ、優れた意匠を有するボールペンチップ及びボールペンが要望されている。
【０００７】
そこで、本発明は、上記した従来の技術の有する問題点に鑑みてなされたものであり、その目的とするところは、ペン先の描線部分が見え易く、且つ、優れた意匠を有するボールペンチップ及びボールペンを提供することにある。
【課題を解決するための手段】
【０００８】
本発明は、前述の目的を達成するためになされたものである。以下に、本発明の特徴点を、図面に示した発明の実施の形態を用いて説明する。
なお、符号は、発明の実施の形態において用いた符号を示し、本発明の技術的範囲を限定するものではない。
【０００９】
（第１発明）
（特徴点）
本発明の第１発明は、次の点を特徴とする。
すなわち、本第１発明は、後端から先端まで連通するインク誘導孔が内部に形成された筒状のホルダー部(11)と、このホルダー部(11)の先端内部に回転可能に設けられた筆記ボール(12)と、前記ホルダー部(11)の先端開口の周囲部分を内方に向かって折り曲げることで形成され、前記筆記ボール(12)を前記ホルダー部(11)から抜け出ないように保持するカシメ部(13)とを備えたボールペンチップ(10)であって、前記ホルダー部(11)の先端部分には、当該ホルダー部(11)の最大外径部分(14)から先端に向って前記カシメ部(13)近傍まで外径が漸減する縮径部(15)が設けられ、この縮径部15は、側面が凹曲面となっていることを特徴とする。
【００１０】
（第２発明）
（特徴点）
本発明の第２発明は、ボールペン(１)に係る発明であって、前述の第１発明のボールペンチップ(10)を備えていることを特徴とする。
【発明の効果】
【００１１】
（発明の効果）
以上のように構成されている本発明は、次のような効果を奏するものである。
すなわち、本発明では、ボールペンチップにおけるホルダー部の先端部分に、当該ホルダー部の最大外径部分から先端に向って、そのカシメ部近傍まで外径が漸減する縮径部を設け、且つ、縮径部の側面を凹曲面としたので、カシメ部近傍では、外径が充分に小さなものになり、ペン先の筆記ボール、及び、これによる描線部分を見易くすることができる。このことは、特に外径０．５５mm以下の微小の筆記ボールを使用する場合に、その微少さを使用者に認識させやすくする点で有効である。しかも、側面が凹曲面となった縮径部によって、ホルダー部の最大外径部分からカシメ部近傍まで連続的な曲面が形成されるので、洗練された印象の外観を形成するので、意匠を優れたものにすることができ、これにより、前記目的を達成することができる。また、縮径部の側面を凹曲面とすることにより、円筒状のパイプ部を設けたボールペンチップと比べて、先端部分の縮径部に応力集中が発生しにくいため、ボールペンチップの剛性や耐久性を向上することもできる。
【図面の簡単な説明】
【００１２】
【図１】本発明の一実施形態に係るボールペンを示す平面図である。
【図２】前記実施形態に係るボールペンを示す側面図である。
【図３】前記実施形態に係るボールペンを示すペン先露出状態の側面図である。
【図４】前記実施形態に係るボールペンのペン先を示す拡大側面図である。
【図５】前記実施形態に係るボールペンチップを示す斜視図である。
【図６】前記実施形態に係るボールペンチップを示す側面図である。
【図７】本発明の一実施例に係るボールチップを示す断面図である。
【図８】比較例に係るボールペンチップを示す断面図である。
【発明を実施するための形態】
【００１３】
以下に、本発明を実施するための形態である一実施形態について、図面を参照しながら説明する。
【００１４】
（ボールペン１の概略構成）
本第１実施形態に係るボールペン１は、図１〜図３に示すように、保護のためにペン先を覆うキャップ２と、図示しないボールペンリフィルを収納する内部に軸筒３とを備えたものとなっている。また、図示しないボールペンリフィルの先端部分には、本発明に基づくボールペンチップ10が設けられている（図５及び図６参照）。
【００１５】
キャップ２は、筒状に形成された短寸の部材である。このキャップ２の筒状は、一方の端部が閉じているとともに、他方の端部が開口されている。
また、キャップ２には、キャップ２でペン先が覆われたボールペン１が衣服のポケットに挿入された際に、ポケットの布地に掛止させるクリップ部2Aが設けられている。
【００１６】
このクリップ部2Aは、図２及び図３の如く、基部がキャップ２の閉じた端部に一体化されている。そして、このクリップ部2Aにおける基部から先端へ至る途中までの部分は、緩やかに湾曲した湾曲部2Bとなっている。この湾曲部2Bよりも先端側の部分は、ほぼ真っ直ぐに延びるストレート部2Cとなっている。
クリップ部2Aの先端近傍におけるキャップ２の側面と対向する部分には、ポケットの布地に当接させる当接突起2Dが設けられている。
【００１７】
軸筒３は、筒状に形成されているとともに、筒状の両方の端部が開口されている細長い部材である。この軸筒３の先端3A側の部分には、キャップ２が取り外し可能に嵌合されるようになっている。
一方、図１及び図２に戻って、軸筒３の後端3Bについては、図１及び図２の如く、後端3Bの部分にキャップ２が取り外し可能に嵌合されるようになっている。また、軸筒３における後端3B側の端部開口には、略円柱状の尾栓3Cが嵌め込まれている。
【００１８】
軸筒３における先端3A側の端部開口には、図３の如く、円錐台状の先軸部3Dが螺合されている。また、軸筒３における先端3A近傍の側面には、滑り止めが形成されたグリップ部3Eが設けられている。
ここで、先軸部3Dは、先端面が開口されたものとなっている。換言すると、先軸部3Dの先端面には、図３及び図４に示すように、開口部3Fが形成されている。
軸筒３の内部に収納された図示しないボールペンリフィルは、図３及び図４の如く、先端のペン先部1Aが先軸部3Dの開口部3Fを通じて外部に露出して視認できるようになっている。このペン先部1Aは、以下に説明するボールペンチップ10の先端部分に形成されたものとなっている。
【００１９】
（ボールペンチップ10）
図５及び図６において、ボールペンチップ10は、後端から先端まで連通する図示しないインク誘導孔が内部に形成された筒状のホルダー部11と、図５及び図６に示すように、このホルダー部11の先端内部に回転可能に設けられた筆記ボール12と、筆記ボール12をホルダー部11から抜け出ないように保持するカシメ部13とを備えたものである。
【００２０】
ホルダー部11は、図５及び図６中、中央部分に外径が最も大きくされた最大外径部分である円筒状の最大外径部14を有している。
ホルダー部11の先端側、換言すると、図６中の右方には、先細りとなった縮径部15が設けられている。
ホルダー部11の後端側の部分、換言すると、図６中の右方の部分は、図示しないボールペンリフィルのインク貯蔵管が固定される固定部16となっている。
【００２１】
縮径部15は、ホルダー部11の最大外径部14から先端に向ってカシメ部13近傍まで外径が漸減するものとなっている。
また、縮径部15の側面は、ホルダー部11の中心軸側に凹んだ凹曲面となっている。換言すると、図６において、縮径部15の側面の輪郭は、最大外径部14から先端に向って延びる連続した曲線であって、最大外径部14近傍では、急な勾配であったのが、先端近傍に至るにつれて次第に緩やかな勾配となっている。
【００２２】
固定部16は、最大外径部14よりも一回り外径が小さい円筒状の部位である。なお、固定部16と最大外径部14との境界部分は、段付部17となっている。
この固定部16の後側の部分は、前側の部分より僅か外径が大きい係止部16A となっている。固定部16には、図示しないインク貯蔵管が嵌め込まれ、嵌め込まれたインク貯蔵管は、係止部16A に係止され、容易に固定部16から外れないようになっている。
【００２３】
筆記ボール12は、ボールペンチップ10の先端部分において、筆記される面と接触して回転することにより、当該筆記ボール12の裏側のインクを筆記される面に付着させるものとなっている。
カシメ部13は、筆記ボール12がホルダー部11から抜け出ないように、ホルダー部11の先端開口の周囲部分を内方に向かって折り曲げることで形成されたものとなっている。
【００２４】
（実施形態の効果）
前述のような本実施形態によれば、次のような効果が得られる。
すなわち、ボールペンチップ10におけるホルダー部11の先端部分に、当該ホルダー部11の最大外径部14から先端に向って、カシメ部13近傍まで外径が漸減する縮径部15を設け、且つ、縮径部15の側面を凹曲面としたので、カシメ部13近傍では、外径が充分に小さなものになり、ペン先の筆記ボール12、及び、これによる描線部分を見易くすることができる。このことは、特にボール径０．５５mm以下の微小な筆記ボール12を使用する場合に、その微小さを使用者に認識させやすくする点で有効である。しかも、側面が凹曲面となった縮径部15によって、ホルダー部11の最大外径部14からカシメ部13近傍まで連続的な曲面が形成されるので、洗練された印象の外観を形成することができ、ボールペンチップ10の意匠を優れたものにすることができ、ひいては、ボールペン１の意匠をも優れたものにすることができる。また、縮径部15の側面を凹曲面とすることにより、円筒状のパイプ部を設けたボールペンチップと比べて、縮径部15に応力集中が発生しにくいため、ボールペンチップ10の剛性や耐久性を向上することもできる。
【実施例】
【００２５】
以下のような実施例及び比較例を用いた実験に基づいて、本発明の効果を具体的に説明する。
［実施例］
本実施例に係るボールペンチップ10は、前記実施形態に基づいたものであり、図７に示すように、ホルダー部11の最大外径部14から先端に向ってカシメ部13近傍まで外径が漸減する縮径部15を有し、且つ、この縮径部15の側面が凹曲面となったものである。
［比較例］
本比較例に係るボールペンチップ30は、本発明に基づく縮径部を備えておらず、図８に示すように、ホルダー部31の最大外径部34から先端のカシメ部33に向かって、外周面が円錐面となった第１テーパー部35と、外周面が円柱面となったパイプ部36と、外周面が円錐面となった第２テーパー部37とが順番に設けられたものである。
【００２６】
〔実験方法〕
前述の実施例及び比較例の各３個のサンプルに対して、ボールペンチップ10, 30の先端部分に軸方向と直行する押圧力、すなわち、曲げ加重を加え、さらに、当該曲げ加重を増やしていき、曲がり又は破断が開始される曲げ加重を求める実験を行った。
【００２７】
ここで、ボールペンチップ10, 30は、全長が１２mmであり、各筆記ボールの12の直径は、０．３８mmとし、ボールペンチップ10, 30の曲げ荷重を加える位置α（先端から２mm、図７及び図８参照）における外径及び内径は、それぞれ１．０mm及び０．６mmとした。
曲げ加重をボールペンチップ10, 30の先端部分に加えるにあたり、最大外径部14, 43の所定位置、具体的には、位置αから軸に沿って距離４．５mmだけ離れた位置をバイスβで掴んで固定した。曲げ加重を加える位置は、ボールペンチップ10, 30の先端部分における肉厚が互いに同じとなる位置とした。具体的には上述のとおり、図７及び図８において、先端から２mm離れた位置αに曲げ加重を加えた。
【００２８】
〔実験結果〕
実施例のボールペンチップ10は、位置αへの曲げ加重を増やしていくと、ある時点で、位置αの近傍部分に曲がりが生じた。この時の曲げ加重は、サンプル３個の平均値で２０５Ｎとなった。
一方、比較例のボールペンチップ30は、位置αへの曲げ加重を増やしていくと、ある時点で、第１テーパー部35とパイプ部36との境界部分に破断が生じた。この時の曲げ加重は、サンプル３個の平均値で７０Ｎとなった。
以上のような実験結果から、本発明に基づく実施例によれば、曲げ加重に対する剛性や耐久力を向上できるという効果があることが判った。
【００２９】
なお、本発明は、前記実施形態に限定されるものではなく、本発明の目的を達成できる範囲における変形及び改良などをも含むものである。
例えば、ボールペンとしては、ペン先をキャップ２で保護する覆うキャップ式のボールペンに限らず、軸筒の後端部又は側面に設けられたノック体を軸方向に移動させることで、ペン先が軸筒の内部に収納され、これにより、ペン先を保護するノック式でもよく、あるいは、二つに分割された軸筒の一方を他方に対して回転操作することで、ペン先が軸筒の内部に収納され、これにより、ペン先を保護する回転式のボールペン等の出没式でもよい。
【符号の説明】
【００３０】
１  ボールペン                  1A  ペン先部
２  キャップ                    2A  クリップ部
2B  湾曲部                      2C  ストレート部
2D  当接突起                    ３  軸筒
3A  先端                        3B  後端
3C  尾栓                        3D  先軸部
3E  グリップ部                  3F  開口部
10  ボールペンチップ            11  ホルダー部
12  筆記ボール                  13  カシメ部
14  最大外径部                  15  縮径部
16  固定部                      16A 係止部
17  段付部
【図１】
2015013426.tif 000003
【図２】
2015013426.tif 000004
【図３】
2015013426.tif 000005
【図４】
2015013426.tif 000006
【図５】
2015013426.tif 000007
【図６】
2015013426.tif 000008
【図７】
2015013426.tif 000009
【図８】
2015013426.tif 000010